(57)【要約】【課題】  比誘電率が高く、目的とする温度特性を満足し、還元性雰囲気中での焼成が可能であるとともに、高温加速寿命に優れ、しかも容量不良率（容量が規格値以下となってしまった製品の割合）の改善された誘電体磁器組成物を提供すること。【解決手段】  チタン酸バリウムを含む主成分と、ＭｇＯ，ＣａＯ，ＢａＯおよびＳｒＯから選択される少なくも１種を含む第１副成分と、Ａｌ２  Ｏ３  ，Ｌｉ２  ＯおよびＢ２  Ｏ３  から選択される少なくとも１種を含む第２副成分と、Ｖ２  Ｏ５  ，ＭｏＯ３  およびＷＯ３  から選択される少なくとも１種を含む第３副成分と、Ｒ１の酸化物（ただし、Ｒ１はＳｃ，Ｅｒ，Ｔｍ，ＹｂおよびＬｕから選択される少なくとも１種）を含む第４副成分と、ＣａＺｒＯ３  またはＣａＯ＋ＺｒＯ２  を含む第５副成分と、を少なくとも有する誘電体磁器組成物。【選択図】        無し【特許請求の範囲】
【請求項１】
チタン酸バリウムを含む主成分と、
ＭｇＯ，ＣａＯ，ＢａＯおよびＳｒＯから選択される少なくも１種を含む第１副成分と、
Ａｌ２  Ｏ３  ，Ｌｉ２  ＯおよびＢ２  Ｏ３  から選択される少なくとも１種を含む第２副成分と、
Ｖ２  Ｏ５  ，ＭｏＯ３  およびＷＯ３  から選択される少なくとも１種を含む第３副成分と、
Ｒ１の酸化物（ただし、Ｒ１はＳｃ，Ｅｒ，Ｔｍ，ＹｂおよびＬｕから選択される少なくとも１種）を含む第４副成分と、
ＣａＺｒＯ３  またはＣａＯ＋ＺｒＯ２  を含む第５副成分と、を少なくとも有する誘電体磁器組成物であって、
前記主成分１００モルに対する各副成分の比率が、
第１副成分：０．１〜３モル、
第２副成分：１〜１０モル（ただし、第２副成分のモル数は、Ａｌ，ＬｉまたはＢ元素換算での比率である）、
第３副成分：０．０１〜０．５モル、
第４副成分：０．５〜７モル（ただし、第４副成分のモル数は、Ｒ１単独での比率である）、
第５副成分：０＜第５副成分≦５モル、
である誘電体磁器組成物。
【請求項２】
第６副成分として、Ｒ２の酸化物（ただし、Ｒ２はＹ、Ｄｙ、Ｈｏ、Ｔｂ、ＧｄおよびＥｕから選択される少なくとも一種）をさらに有し、
前記第６副成分の含有量が、前記主成分１００モルに対して、９モル以下（ただし、第６副成分のモル数は、Ｒ２単独での比率である）である請求項１に記載の誘電体磁器組成物。
【請求項３】
第７副成分として、ＭｎＯまたはＣｒ２  Ｏ３  をさらに有し、前記第７副成分の含有量が、前記主成分１００モルに対して、０．５モル以下（ただし、ＭｎまたはＣｒ元素換算での比率である）である請求項１または２に記載の誘電体磁器組成物。
【請求項４】
請求項１〜３のいずれかに記載の誘電体磁器組成物を製造する方法であって、
焼成後に前記誘電体磁器組成物となる誘電体原料を焼成し、その後、１０００〜１４００℃でアニール処理をする誘電体磁器組成物の製造方法。
【請求項５】
請求項１〜３のいずれかに記載の誘電体磁器組成物で構成してある誘電体層を有する電子部品。
【請求項６】
請求項１〜３のいずれかに記載の誘電体磁器組成物で構成してある誘電体層と、内部電極層と、が交互に積層してあるコンデンサ素子本体を有する積層セラミックコンデンサ。
【発明の詳細な説明】
【技術分野】
【０００１】
本発明は、耐還元性を有する誘電体磁器組成物およびその製造方法と、この誘電体磁器組成物を用いた積層セラミックコンデンサなどの電子部品とに関する。
【背景技術】
【０００２】
電子部品としての積層セラミックコンデンサは、小型、大容量、高信頼性の電子部品として広く利用されており、１台の電子機器の中で使用される個数も多数にのぼる。近年、機器の小型・高性能化にともない、積層セラミックコンデンサに対する更なる小型化、大容量化、低価格化、高信頼性化への要求はますます厳しくなっている。
【０００３】
積層セラミックコンデンサは、通常、内部電極層用のペーストと誘電体層用のペーストとを使用して、シート法や印刷法等により積層し、積層体中の内部電極層と誘電体層とを同時に焼成して製造される。
【０００４】
内部電極層の導電材としては、一般にＰｄやＰｄ合金が用いられているが、Ｐｄは高価であるため、比較的安価なＮｉやＮｉ合金等の卑金属が使用されるようになってきている。内部電極層の導電材として卑金属を用いる場合、大気中で焼成を行なうと内部電極層が酸化してしまうため、誘電体層と内部電極層との同時焼成を、還元性雰囲気中で行なう必要がある。しかし、還元性雰囲気中で焼成すると、誘電体層が還元され、比抵抗が低くなってしまう。このため、非還元性の誘電体材料が開発されている。
【０００５】
しかし、非還元性の誘電体材料を用いた積層セラミックコンデンサは、電界の印加によるＩＲ（絶縁抵抗）の劣化が著しく、ＩＲ寿命が短く、信頼性が低いという問題がある。
【０００６】
また、コンデンサには、容量の温度特性が良好であることも要求され、特に、用途によっては、厳しい条件下において、容量の温度特性が平坦であることが求められる。近年、自動車のエンジンルーム内に搭載するエンジン電子制御ユニット（ＥＣＵ）、クランク角センサ、アンチロックブレーキシステム（ＡＢＳ）モジュールなどの各種電子装置に積層セラミックコンデンサが使用されるようになってきている。これらの電子装置は、エンジン制御、駆動制御およびブレーキ制御を安定して行うためのものなので、回路の温度安定性が良好であることが要求される。
【０００７】
これらの電子装置が使用される環境は、寒冷地の冬季には−２０℃程度以下まで温度が下がり、また、エンジン始動後には、夏季では＋１３０℃程度以上まで温度が上がることが予想される。最近では電子装置とその制御対象機器とをつなぐワイヤハーネスを削減する傾向にあり、電子装置が車外に設置されることもあるので、電子装置にとっての環境はますます厳しくなっている。したがって、これらの電子装置に用いられるコンデンサは、広い温度範囲において温度特性が平坦である必要がある。具体的には、容量温度特性が、ＥＩＡ規格のＸ７Ｒ特性（−５５〜１２５℃、ΔＣ／Ｃ＝±１５％以内）を満足するだけでは足りず、ＥＩＡ規格のＸ８Ｒ特性（−５５〜１５０℃、ΔＣ／Ｃ＝±１５％以内）を満足する誘電体磁器組成物が必要とされる。
【０００８】
これに対し、本出願人は、既に以下に示す特許文献１、２において、還元性雰囲気中での焼成が可能であり、しかも、誘電率が高く、Ｘ８Ｒ特性を満足する誘電体磁器組成物を提案している。
【０００９】
しかしながら、これら特許文献１，２においては、高温加速寿命を向上させるために、焼成後のアニール処理の温度を高くすると、製品中における容量不良率（容量が規格値以下となってしまった製品の割合）が高くなってしまうという問題があった。そのため、容量不良率を低く抑え、かつ、高温加速寿命を向上させることが課題となっていた。
【００１０】
【特許文献１】特許第３３４８０８１号公報
【特許文献２】特許第３３４１００３号公報
【発明の開示】
【発明が解決しようとする課題】
【００１１】
本発明は、このような実状に鑑みてなされ、比誘電率が高く、目的とする温度特性（たとえばＥＩＡ規格のＸ８Ｒ特性（−５５〜１５０℃、ΔＣ／Ｃ＝±１５％以内））を満足し、還元性雰囲気中での焼成が可能であるとともに、高温加速寿命に優れ、しかも容量不良率（容量が規格値以下となってしまった製品の割合）の改善された誘電体磁器組成物を提供することを目的とする。また、本発明は、このような誘電体磁器組成物を用い、小型・大容量化を実現でき、特に薄層小型化対応の積層セラミックコンデンサなどの電子部品を提供することも目的とする。
【課題を解決するための手段】
【００１２】
上記目的を達成するために、本発明に係る誘電体磁器組成物は、
チタン酸バリウムを含む主成分と、
ＭｇＯ，ＣａＯ，ＢａＯおよびＳｒＯから選択される少なくも１種を含む第１副成分と、
Ａｌ２  Ｏ３  ，Ｌｉ２  ＯおよびＢ２  Ｏ３  から選択される少なくとも１種を含む第２副成分と、
Ｖ２  Ｏ５  ，ＭｏＯ３  およびＷＯ３  から選択される少なくとも１種を含む第３副成分と、
Ｒ１の酸化物（ただし、Ｒ１はＳｃ，Ｅｒ，Ｔｍ，ＹｂおよびＬｕから選択される少なくとも１種）を含む第４副成分と、
ＣａＺｒＯ３  またはＣａＯ＋ＺｒＯ２  を含む第５副成分と、を少なくとも有する誘電体磁器組成物であって、
前記主成分１００モルに対する各副成分の比率が、
第１副成分：０．１〜３モル、
第２副成分：１〜１０モル（ただし、第２副成分のモル数は、Ａｌ，ＬｉまたはＢ元素換算での比率である）、
第３副成分：０．０１〜０．５モル、
第４副成分：０．５〜７モル（ただし、第４副成分のモル数は、Ｒ１単独での比率である）、
第５副成分：０＜第５副成分≦５モル、
である。
【００１３】
本発明において、好ましくは、第６副成分として、Ｒ２の酸化物（ただし、Ｒ２はＹ、Ｄｙ、Ｈｏ、Ｔｂ、ＧｄおよびＥｕから選択される少なくとも一種）をさらに有し、
前記第６副成分の含有量が、前記主成分１００モルに対して、９モル以下（ただし、第６副成分のモル数は、Ｒ２単独での比率である）である。
【００１４】
本発明において、好ましくは、第７副成分として、ＭｎＯまたはＣｒ２  Ｏ３  をさらに有し、前記第７副成分の含有量が、前記主成分１００モルに対して、０．５モル以下（ただし、ＭｎまたはＣｒ元素換算での比率である）である。
【００１５】
本発明に係る誘電体磁器組成物の製造方法は、
上記いずれかに記載の誘電体磁器組成物を製造する方法であって、
焼成後に前記誘電体磁器組成物となる誘電体原料を焼成し、その後、１０００〜１４００℃でアニール処理をすることを特徴とする。
また、本発明の製造方法においては、上記アニール処理をする際の酸素分圧は、１０−１１ＭＰａ以上、特に、１０−７〜１０−６ＭＰａとすることが好ましい。アニール処理を前記所定条件で行うことにより、高温加速寿命を改善することができる。
【００１６】
本発明に係る電子部品は、上記本発明の誘電体磁器組成物、または本発明の製造方法により得られる誘電体磁器組成物で構成してある誘電体層を有する。電子部品としては、特に限定されないが、積層セラミックコンデンサ、圧電素子、チップインダクタ、チップバリスタ、チップサーミスタ、チップ抵抗、その他の表面実装（ＳＭＤ）チップ型電子部品が例示される。
【００１７】
本発明に係る積層セラミックコンデンサは、上記本発明の誘電体磁器組成物、または本発明の製造方法により得られる誘電体磁器組成物で構成してある誘電体層と、内部電極層と、を交互に積層することにより構成される。
【発明の効果】
【００１８】
本発明によると、誘電体磁器組成物の組成を、上述の所定組成とするため、比誘電率が高く、目的とする温度特性（たとえば、Ｘ８Ｒ特性）を満足し、還元性雰囲気中での焼成が可能であるとともに、高温加速寿命に優れ、しかも容量不良率の改善された誘電体磁器組成物を提供することができる。特に、本発明においては、前記第２副成分（Ａｌ２  Ｏ３  ，Ｌｉ２  ＯおよびＢ２  Ｏ３  から選択される少なくとも１種）を、所定量含有することにより、高温加速寿命および容量不良率を有効に改善することができる。
【発明を実施するための最良の形態】
【００１９】
以下、本発明を、図面に示す実施形態に基づき説明する。
図１は本発明の一実施形態に係る積層セラミックコンデンサの断面図である。
【００２０】
積層セラミックコンデンサ１
図１に示すように、本発明の一実施形態に係る電子部品としての積層セラミックコンデンサ１は、誘電体層２と内部電極層３とが交互に積層されたコンデンサ素子本体１０を有する。コンデンサ素子本体１０の両端部には、素子本体１０の内部で交互に配置された内部電極層３と各々導通する一対の外部電極４が形成してある。内部電極層３は、各端面がコンデンサ素子本体１０の対向する２端部の表面に交互に露出するように積層してある。一対の外部電極４は、コンデンサ素子本体１０の両端部に形成され、交互に配置された内部電極層３の露出端面に接続されて、コンデンサ回路を構成する。
【００２１】
コンデンサ素子本体１０の外形や寸法には特に制限はなく、用途に応じて適宜設定することができ、通常、外形はほぼ直方体形状とし、寸法は通常、縦（０．４〜５．６ｍｍ）×横（０．２〜５．０ｍｍ）×高さ（０．２〜１．９ｍｍ）程度とすることができる。
【００２２】
誘電体層２
誘電体層２は、本発明の誘電体磁器組成物を含有する。
本発明の誘電体磁器組成物は、
主成分であるチタン酸バリウムと、
ＭｇＯ，ＣａＯ，ＢａＯおよびＳｒＯから選択される少なくとも１種を含む第１副成分と、
Ａｌ２  Ｏ３  ，Ｌｉ２  ＯおよびＢ２  Ｏ３  から選択される少なくとも１種を含む第２副成分と、
Ｖ２  Ｏ５  ，ＭｏＯ３  およびＷＯ３  から選択される少なくとも１種を含む第３副成分と、
Ｒ１の酸化物（ただし、Ｒ１はＳｃ，Ｅｒ，Ｔｍ，ＹｂおよびＬｕから選択される少なくとも１種）を含む第４副成分と、
ＣａＺｒＯ３  またはＣａＯ＋ＺｒＯ２  を含む第５副成分と、を少なくとも有する誘電体磁器組成物で構成してある。
【００２３】
主成分であるチタン酸バリウムは、好ましくは、組成式Ｂａｍ  ＴｉＯ２＋ｍ  で表され、前記組成式中のｍが０．９９５≦ｍ≦１．０１０であり、ＢａとＴｉとの比が０．９９５≦Ｂａ／Ｔｉ≦１．０１０である。
【００２４】
上記各副成分の比率は、主成分であるチタン酸バリウムに対し、
第１副成分：０．１〜３モル、
第２副成分：１〜１０モル、
第３副成分：０．０１〜０．５モル、
第４副成分：０．５〜７モル、
第５副成分：０＜第５副成分≦５モルであり、
好ましくは、
第１副成分：０．５〜２．５モル、
第２副成分：２〜５モル、
第３副成分：０．１〜０．４モル、
第４副成分：０．５〜５．０モル、
第５副成分：０．５〜３モルである。
【００２５】
なお、第２副成分の上記比率は、各酸化物のモル比ではなく、それぞれ、Ａｌ，ＬｉまたはＢ元素換算での比率である。すなわち、たとえば、第２副成分としてＡｌ２  Ｏ３  を用いた場合、第２副成分の比率が１モルであることは、Ａｌ２  Ｏ３  の比率が１モルなのではなく、Ａｌの比率が１モルであることを意味する。また、第４副成分の上記比率も同様に、Ｒ１の酸化物のモル比ではなく、Ｒ１元素換算のモル比である。
【００２６】
本明細書では、主成分および各副成分を構成する各酸化物を化学量論組成で表しているが、各酸化物の酸化状態は、化学量論組成から外れるものであってもよい。ただし、各副成分の上記比率は、各副成分を構成する酸化物に含有される金属量から上記化学量論組成の酸化物に換算して求める。
【００２７】
上記各副成分の含有量の限定理由は以下のとおりである。
第１副成分（ＭｇＯ，ＣａＯ，ＢａＯおよびＳｒＯ）の含有量が少なすぎると、容量温度変化率が大きくなってしまう。一方、含有量が多すぎると、焼結性が悪化する。なお、第１副成分中における各酸化物の構成比率は任意である。
【００２８】
第２副成分（Ａｌ２  Ｏ３  ，Ｌｉ２  ＯおよびＢ２  Ｏ３  ）は、焼結助剤として機能し、誘電体磁器組成物の焼結性を向上させる効果と、アニール処理を施した際における静電容量の低下を防止する効果とを有する。したがって、これらの第２副成分を使用することにより、比較的に高い温度でのアニール処理が可能となり、誘電体層の再酸化を充分に行うことができるため、高温加速寿命を向上させることができる。第２副成分の含有量が少なすぎると、誘電体磁器組成物の焼結性が悪化してしまい、焼結が困難となる。一方、含有量が多すぎると、容量不良率が悪化するほか、高温加速寿命の劣化が生じてしまう。
【００２９】
第３副成分（Ｖ２  Ｏ５  ，ＭｏＯ３  およびＷＯ３  ）は、キュリー温度以上での容量温度特性を平坦化する効果と、ＩＲ寿命を向上させる効果とを示す。第３副成分の含有量が少なすぎると、このような効果が不十分となる。一方、含有量が多すぎると、ＩＲが著しく低下する。なお、第３副成分中における各酸化物の構成比率は任意である。
【００３０】
第４副成分（Ｒ１の酸化物）は、キュリー温度を高温側へシフトさせる効果と、容量温度特性を平坦化する効果とを示す。第４副成分の含有量が少なすぎると、このような効果が不十分となり、容量温度特性が悪くなってしまう。一方、含有量が多すぎると、焼結性が悪化する傾向にある。第４副成分のうちでは、特性改善効果が高く、しかも安価であることから、Ｙｂの酸化物が好ましい。
【００３１】
第５副成分（ＣａＺｒＯ３  ）は、キュリー温度を高温側へシフトさせる効果と、容量温度特性を平坦化する効果とを示す。また、ＣＲ積、直流絶縁破壊強度を改善する効果がある。ただし、第５副成分の含有量が多すぎると、ＩＲ加速寿命が著しく悪化し、容量温度特性（Ｘ８Ｒ特性）が悪くなってしまう。ＣａＺｒＯ３  の添加形態は特に限定されず、ＣａＯなどのＣａから構成される酸化物、ＣａＣＯ３  などの炭酸塩、有機化合物、ＣａＺｒＯ３  などを挙げることができる。ＣａとＺｒの比率は特に限定されず、主成分であるＢａＴｉＯ３  に固溶させない程度に決定すればよいが、Ｚｒに対するＣａのモル比（Ｃａ／Ｚｒ）が、好ましくは０．５〜１．５、より好ましくは０．８〜１．５、さらに好ましくは０．９〜１．１である。
【００３２】
第４副成分（Ｒ１の酸化物）および第５副成分（ＣａＺｒＯ３  ）の含有量を調整することで、容量温度特性（Ｘ８Ｒ特性）を平坦化し、高温加速寿命、ＣＲ積を改善することができる。特に、上述した数値範囲内では、異相の析出が抑制され、組織の均一化を図ることができる。第４副成分の含有量が多すぎると、巨大な針状結晶であるパイロクロア相が析出しやすく、積層セラミックコンデンサの誘電体層間の厚みを薄くしたときに著しい特性の劣化（ＣＲ積の減少）が認められる。一方、第４副成分の含有量が少なすぎると、容量温度特性を満足することができなくなる。第５副成分の含有量が多すぎると、ＣＲ積、直流破壊電圧ＶＢは改善されるが、容量温度特性が悪化し、ＩＲ加速寿命も劣化してくる。
【００３３】
本発明の誘電体磁器組成物には、必要に応じ、第６副成分として、Ｒ２の酸化物（ただし、Ｒ２はＹ、Ｄｙ、Ｈｏ、Ｔｂ、ＧｄおよびＥｕから選択される少なくとも一種）を含有することが好ましい。第６副成分の含有量は、主成分１００モルに対して、好ましくは９モル以下、より好ましくは０．５〜９モルとする。なお、第６副成分の上記比率は、Ｒ２の酸化物のモル比ではなく、Ｒ２元素換算のモル比である。
【００３４】
この第６副成分（Ｒ２の酸化物）は、ＩＲおよびＩＲ寿命を改善する効果を示し、容量温度特性への悪影響も少ない。ただし、Ｒ２の酸化物の含有量が多すぎると、焼結性が悪化する傾向にある。第６副成分のうちでは、特性改善効果が高く、しかも安価であることから、Ｙの酸化物が好ましい。
【００３５】
また、第４副成分および第６副成分の合計の含有量は、主成分１００モルに対し、好ましくは１３モル以下、さらに好ましくは１０モル以下（ただし、第４副成分および第６副成分のモル数は、Ｒ１およびＲ２単独での比率である）とする。焼結性を良好に保つためである。
【００３６】
また、本発明の誘電体磁器組成物には、第７副成分としてＭｎＯまたはＣｒ２  Ｏ３  が含有されていてもよい。この第７副成分は、焼結を促進する効果と、ＩＲを高くする効果と、ＩＲ寿命を向上させる効果とを示す。このような効果を十分に得るためには、主成分１００モルに対する第７副成分の比率が０．０１モル以上であることが好ましい。ただし、第７副成分の含有量が多すぎると容量温度特性に悪影響を与えるので、ＭｎまたはＣｒ元素換算で、好ましくは０．５モル以下とする。
【００３７】
なお、本発明の誘電体磁器組成物には、上記第１〜第７副成分以外の添加成分が含有されていても良い。このような添加成分としては、たとえば、酸化シリコン（ＳｉＯ２  など）や、シリコン含有複合酸化物（（Ｂａ，Ｃａ）ＳｉＯ２  など）などが挙げられる。ただし、これらのシリコン含有化合物が多く含まれると、焼成後のアニール処理の温度を高くした場合に、製品中における容量不良率（容量が規格値以下となってしまった製品の割合）が悪化してしまうという問題がある。そのため、酸化シリコンやシリコン含有複合酸化物を含有する場合には、その含有量は、なるべく少ないほうが望ましく、主成分１００モルに対して、好ましくは５モル以下、より好ましくは３モル以下とする。特に、本発明においては、酸化シリコンやシリコン含有複合酸化物を実質的に含有していないことが好ましい。
【００３８】
なお、Ｓｒ，ＺｒおよびＳｎの少なくとも１種が、ペロブスカイト構造を構成する主成分中のＢａまたはＴｉを置換している場合、キュリー温度が低温側にシフトするため、１２５℃以上での容量温度特性が悪くなる。このため、これらの元素を含むＢａＴｉＯ３  ［たとえば（Ｂａ，Ｓｒ）ＴｉＯ３  ］を主成分として用いないことが好ましい。ただし、不純物として含有されるレベル（誘電体磁器組成物全体の０．１モル％程度以下）であれば、特に問題はない。
【００３９】
本発明の誘電体磁器組成物の平均結晶粒径は、特に限定されず、誘電体層の厚さなどに応じて、たとえば０．１〜３μｍの範囲から適宜決定すればよい。容量温度特性は、誘電体層が薄いほど悪化し、また、平均結晶粒径を小さくするほど悪化する傾向にある。このため、本発明の誘電体磁器組成物は、平均結晶粒径を小さくする必要がある場合に、具体的には、平均結晶粒径が０．１〜０．５μｍである場合に特に有効である。また、平均結晶粒径を小さくすれば、ＩＲ寿命が長くなり、直流電界下での容量の経時変化が少なくなるため、この点からも平均結晶粒径は上記のように小さいことが好ましい。
【００４０】
本発明の誘電体磁器組成物のキュリー温度（強誘電体から常誘電体への相転移温度）は、組成を選択することにより変更することができるが、Ｘ８Ｒ特性を満足するためには、好ましくは１２０℃以上、より好ましくは１２３℃以上とする。なお、キュリー温度は、ＤＳＣ（示差走査熱量測定）などによって測定することができる。
【００４１】
本発明の誘電体磁器組成物を用いた積層セラミックコンデンサは、８０℃以上、特に１２５〜１５０℃の環境下で使用される機器用電子部品として好適に用いることができる。そして、このような温度範囲において、容量の温度特性がＥＩＡ規格のＸ８Ｒ特性も満足する。また、ＥＩＡＪ規格のＢ特性［−２５〜８５℃で容量変化率±１０％以内（基準温度２０℃）］、ＥＩＡ規格のＸ７Ｒ特性（−５５〜１２５℃、ΔＣ＝±１５％以内）も同時に満足することが可能である。
【００４２】
積層セラミックコンデンサでは、誘電体層に、通常、０．０２Ｖ／μｍ以上、特に０．２Ｖ／μｍ以上、さらには０．５Ｖ／μｍ以上、一般に５Ｖ／μｍ程度以下の交流電界と、これに重畳して５Ｖ／μｍ以下の直流電界とが加えられるが、このような電界が加わっても、本実施形態においては、容量の温度特性は極めて安定である。
【００４３】
誘電体層２の積層数や厚み等の諸条件は、目的や用途に応じ適宜決定すればよいが、本実施形態では、誘電体層２の厚みは、好ましくは７．５μｍ以下、より好ましくは４μｍ以下と薄層化されている。本実施形態では、このように誘電体層２の厚みを薄層化したときでも、コンデンサ１の各種電気特性、特に、高い誘電率を有しつつ、所定の容量温度特性を満足し、しかも、容量不良率および高温加速寿命を改善することができる。
【００４４】
内部電極層３
内部電極層３に含有される導電材は特に限定されないが、誘電体層２の構成材料が耐還元性を有するため、卑金属を用いることができる。導電材として用いる卑金属としては、ＮｉまたはＮｉ合金が好ましい。Ｎｉ合金としては、Ｍｎ，Ｃｒ，ＣｏおよびＡｌから選択される１種以上の元素とＮｉとの合金が好ましく、合金中のＮｉ含有量は９５重量％以上であることが好ましい。
なお、ＮｉまたはＮｉ合金中には、Ｐ等の各種微量成分が０．１重量％程度以下含まれていてもよい。
内部電極層の厚さは用途等に応じて適宜決定すればよいが、通常、０．５〜５μｍ、特に０．５〜２．５μｍ程度であることが好ましい。
【００４５】
外部電極４
外部電極４に含有される導電材は特に限定されないが、本実施形態では安価なＮｉ，Ｃｕや、これらの合金を用いることができる。外部電極４の厚さは用途等に応じて適宜決定すればよいが、通常、１０〜５０μｍ程度である。
【００４６】
積層セラミックコンデンサ１の製造方法
本発明の誘電体磁器組成物を用いた積層セラミックコンデンサは、従来の積層セラミックコンデンサと同様に、ペーストを用いた通常の印刷法やシート法によりグリーンチップを作製し、これを焼成した後、外部電極を印刷または転写して焼成することにより製造される。以下、製造方法について具体的に説明する。
【００４７】
誘電体層用ペーストは、誘電体原料と有機ビヒクルとを混練した有機系の塗料であってもよく、水系の塗料であってもよい。
【００４８】
誘電体原料には、上記した酸化物やその混合物、複合酸化物を用いることができるが、その他、焼成により上記した酸化物や複合酸化物となる各種化合物、たとえば、炭酸塩、シュウ酸塩、硝酸塩、水酸化物、有機金属化合物等から適宜選択し、混合して用いることができる。誘電体原料中の各化合物の含有量は、焼成後に上記した誘電体磁器組成物の組成となるように決定すればよい。誘電体原料は、通常、平均粒径０．１〜３μｍ程度の粉末として用いられる。
【００４９】
有機ビヒクルとは、バインダを有機溶剤中に溶解したものである。有機ビヒクルに用いるバインダは特に限定されず、エチルセルロース、ポリビニルブチラール等の通常の各種バインダから適宜選択すればよい。また、用いる有機溶剤も特に限定されず、印刷法やシート法など、利用する方法に応じて、テルピネオール、ブチルカルビトール、アセトン、トルエン等の各種有機溶剤から適宜選択すればよい。
【００５０】
また、誘電体層用ペーストを水系の塗料とする場合には、水溶性のバインダや分散剤などを水に溶解させた水系ビヒクルと、誘電体原料とを混練すればよい。水系ビヒクルに用いる水溶性バインダは特に限定されず、たとえば、ポリビニルアルコール、セルロース、水溶性アクリル樹脂などを用いればよい。
【００５１】
内部電極層用ペーストは、上記した各種導電性金属や合金からなる導電材、あるいは焼成後に上記した導電材となる各種酸化物、有機金属化合物、レジネート等と、上記した有機ビヒクルとを混練して調製する。
外部電極用ペーストは、上記した内部電極層用ペーストと同様にして調製すればよい。
【００５２】
上記した各ペースト中の有機ビヒクルの含有量に特に制限はなく、通常の含有量、たとえば、バインダは１〜５重量％程度、溶剤は１０〜５０重量％程度とすればよい。また、各ペースト中には、必要に応じて各種分散剤、可塑剤、誘電体、絶縁体等から選択される添加物が含有されていてもよい。これらの総含有量は、１０重量％以下とすることが好ましい。
【００５３】
印刷法を用いる場合、誘電体層用ペーストおよび内部電極層用ペーストを、ＰＥＴ等の基板上に積層印刷し、所定形状に切断した後、基板から剥離してグリーンチップとする。
【００５４】
また、シート法を用いる場合、誘電体層用ペーストを用いてグリーンシートを形成し、この上に内部電極層用ペーストを印刷した後、これらを積層してグリーンチップとする。
【００５５】
焼成前に、グリーンチップに脱バインダ処理を施す。脱バインダ処理は、通常の条件で行えばよいが、内部電極層の導電材にＮｉやＮｉ合金等の卑金属を用いる場合には、空気雰囲気において、昇温速度を好ましくは５〜３００℃／時間、より好ましくは１０〜１００℃／時間、保持温度を好ましくは１８０〜４００℃、より好ましくは２００〜３００℃、温度保持時間を好ましくは０．５〜２４時間、より好ましくは５〜２０時間とする。
【００５６】
グリーンチップ焼成時の雰囲気は、内部電極層用ペースト中の導電材の種類に応じて適宜決定されればよいが、導電材としてＮｉやＮｉ合金等の卑金属を用いる場合、焼成雰囲気中の酸素分圧は、１０−８〜１０−１２  気圧とすることが好ましい。酸素分圧が前記範囲未満であると、内部電極層の導電材が異常焼結を起こし、途切れてしまうことがある。また、酸素分圧が前記範囲を超えると、内部電極層が酸化する傾向にある。
【００５７】
また、焼成時の保持温度は、好ましくは１１００〜１４００℃、より好ましくは１２００〜１３６０℃、さらに好ましくは１２００〜１３２０℃である。保持温度が前記範囲未満であると緻密化が不十分となり、前記範囲を超えると、内部電極層の異常焼結による電極の途切れや、内部電極層構成材料の拡散による容量温度特性の悪化、誘電体磁器組成物の還元が生じやすくなる。
【００５８】
これ以外の焼成条件としては、昇温速度を好ましくは５０〜５００℃／時間、より好ましくは２００〜３００℃／時間、温度保持時間を好ましくは０．５〜８時間、より好ましくは１〜３時間、冷却速度を好ましくは５０〜５００℃／時間、より好ましくは２００〜３００℃／時間とする。また、焼成雰囲気は還元性雰囲気とすることが好ましく、雰囲気ガスとしてはたとえば、Ｎ２  とＨ２  との混合ガスを加湿して用いることが好ましい。
【００５９】
本実施形態においては、還元性雰囲気中で焼成した後に、コンデンサ素子本体にアニール処理を施す。アニールは、誘電体層を再酸化するための処理であり、これにより高温加速寿命（ＩＲ寿命）を著しく長くすることができるので、信頼性が向上する。
【００６０】
アニール雰囲気中の酸素分圧は、１０−１１ＭＰａ以上とくに１０−７〜１０−６ＭＰａとすることが好ましい。酸素分圧が上記範囲未満であると誘電体層の再酸化が困難であり、上記範囲を超えると内部電極層が酸化する傾向にある。
【００６１】
アニールの際の保持温度は、好ましくは１０００〜１４００℃、より好ましくは１０００℃より高く、１４００℃以下とする。本実施形態においては、上記のように比較的に高い温度でアニール処理を施すため、誘電体層の再酸化を充分に行うことができ、高温加速寿命を効果的に向上させることができる。そのため、コンデンサの信頼性を向上させることができる。特に、本実施形態においては、焼結助剤として、Ａｌ２  Ｏ３  ，Ｌｉ２  ＯおよびＢ２  Ｏ３  から選択される少なくとも１種である第２副成分を使用するため、アニール温度を上記のように比較的に高い温度とした場合においても、容量不良率の悪化を有効に防止することができる。
【００６２】
保持温度を上記範囲未満とすると誘電体層の酸化が不十分となるので、ＩＲが低く、また、高温加速寿命が短くなりやすい。一方、保持温度が上記範囲を超えると、内部電極層が酸化して容量が低下するだけでなく、内部電極層が誘電体素地と反応してしまい、容量温度特性の悪化、ＩＲの低下、高温加速寿命の低下が生じやすくなる。なお、アニールは昇温過程および降温過程だけから構成してもよい。すなわち、温度保持時間を零としてもよい。この場合、保持温度は最高温度と同義である。
【００６３】
これ以外のアニール条件としては、温度保持時間を好ましくは０〜２０時間、より好ましくは６〜１０時間、冷却速度を好ましくは５０〜５００℃／時間、より好ましくは１００〜３００℃／時間とする。また、アニールの雰囲気ガスとしては、たとえば、加湿したＮ２  ガス等を用いることが好ましい。
【００６４】
上記した脱バインダ処理、焼成およびアニールにおいて、Ｎ２  ガスや混合ガス等を加湿するには、たとえばウェッター等を使用すればよい。この場合、水温は５〜７５℃程度が好ましい。
【００６５】
脱バインダ処理、焼成およびアニールは、連続して行なっても、独立に行なってもよい。これらを連続して行なう場合、脱バインダ処理後、冷却せずに雰囲気を変更し、続いて焼成の際の保持温度まで昇温して焼成を行ない、次いで冷却し、アニールの保持温度に達したときに雰囲気を変更してアニールを行なうことが好ましい。一方、これらを独立して行なう場合、焼成に際しては、脱バインダ処理時の保持温度までＮ２  ガスあるいは加湿したＮ２  ガス雰囲気下で昇温した後、雰囲気を変更してさらに昇温を続けることが好ましく、アニール時の保持温度まで冷却した後は、再びＮ２  ガスあるいは加湿したＮ２  ガス雰囲気に変更して冷却を続けることが好ましい。また、アニールに際しては、Ｎ２  ガス雰囲気下で保持温度まで昇温した後、雰囲気を変更してもよく、アニールの全過程を加湿したＮ２  ガス雰囲気としてもよい。
【００６６】
上記のようにして得られたコンデンサ素子本体に、たとえばバレル研磨やサンドブラストなどにより端面研磨を施し、外部電極用ペーストを印刷または転写して焼成し、外部電極４を形成する。外部電極用ペーストの焼成条件は、たとえば、加湿したＮ２  とＨ２  との混合ガス中で６００〜８００℃にて１０分間〜１時間程度とすることが好ましい。そして、必要に応じ、外部電極４表面に、めっき等により被覆層を形成する。
このようにして製造された本発明の積層セラミックコンデンサは、ハンダ付等によりプリント基板上などに実装され、各種電子機器等に使用される。
【００６７】
以上、本発明の実施形態について説明してきたが、本発明は、上述した実施形態に何等限定されるものではなく、本発明の要旨を逸脱しない範囲内において種々に改変することができる。
【００６８】
たとえば、上述した実施形態では、本発明に係る電子部品として積層セラミックコンデンサを例示したが、本発明に係る電子部品としては、積層セラミックコンデンサに限定されず、上記組成の誘電体磁器組成物で構成してある誘電体層を有するものであれば何でも良い。
【実施例】
【００６９】
以下、本発明を、さらに詳細な実施例に基づき説明するが、本発明は、これら実施例に限定されない。
【００７０】
実施例１
まず、誘電体原料（誘電体磁器組成物粉末）を作製するために、主成分原料（ＢａＴｉＯ３  ）および以下の第１〜第７副成分原料を準備した。
【００７１】
ＭｇＣＯ３  （第１副成分）：０．３６モル、
Ａｌ２  Ｏ３  （第２副成分）：０．９〜１０．１モル、
Ｖ２  Ｏ５  （第３副成分）：０．１モル、
Ｙｂ２  Ｏ３  （第４副成分）：２．１９モル、
ＣａＺｒＯ３  （第５副成分）：１．２モル、
Ｙ２  Ｏ３  （第６副成分）：２．４モル、
ＭｎＣＯ３  （第７副成分）：０．１５モル、
上記第１、第３、第５、第７副成分の添加量は、主成分１００モルに対するモル数を、各酸化物換算または各複合酸化物換算で表した添加量であり、上記第２、第４、第６副成分の添加量は、それぞれ、Ａｌ元素換算、Ｙｂ元素換算およびＹ元素換算での添加量である。また、第２副成分は、表１に示す各添加量とした。
【００７２】
次に、これらの主成分および各副成分の原料を、ボールミルにより１６時間湿式混合し、乾燥させて誘電体原料とした。そして、得られた乾燥後の誘電体原料１００重量部と、アクリル樹脂４．８重量部と、酢酸エチル１００重量部と、ミネラルスピリット６重量部と、トルエン４重量部とをボールミルで混合してペースト化し、誘電体層用ペーストを得た。
【００７３】
次に、Ｎｉ粒子４４．６重量部と、テルピネオール５２重量部と、エチルセルロース３重量部と、ベンゾトリアゾール０．４重量部とを、３本ロールにより混練し、スラリー化して内部電極層用ペーストを得た。
【００７４】
これらのペーストを用い、以下のようにして、図１に示される積層型セラミックチップコンデンサ１を製造した。
【００７５】
まず、得られた誘電体層用ペーストを用いてＰＥＴフィルム上にグリーンシートを形成した。この上に内部電極用ペーストを印刷した後、ＰＥＴフィルムからシートを剥離した。次いで、これらのグリーンシートと保護用グリーンシート（内部電極層用ペーストを印刷しないもの）とを積層、圧着して、グリーンチップを得た。
【００７６】
次いで、グリーンチップを所定サイズに切断し、脱バインダ処理、焼成およびアニールを下記条件にて行って、積層セラミック焼成体を得た。
脱バインダ処理条件は、昇温速度：３０℃／時間、保持温度：２６０℃、温度保持時間：８時間、雰囲気：空気中とした。
焼成条件は、昇温速度：２００℃／時間、保持温度：１２５０〜１３５０℃、温度保持時間：２時間、冷却速度：３００℃／時間、雰囲気ガス：加湿したＮ２  ＋Ｈ２  混合ガス（酸素分圧：１０−２Ｐａ）とした。
アニール条件は、昇温速度：２００℃／時間、保持温度：１２００℃、温度保持時間：２時間、冷却速度：３００℃／時間、雰囲気ガス：加湿したＮ２  ガス（酸素分圧：１０−７ＭＰａ）とした。
なお、焼成およびアニールの際の雰囲気ガスの加湿には、水温を５〜７５℃としたウエッターを用いた。
【００７７】
次いで、得られた積層セラミック焼成体の端面をサンドブラストにて研磨した後、外部電極としてＩｎ−Ｇａを塗布し、図１に示す積層セラミックコンデンサの試料１〜７を得た。本実施例においては、第２副成分であるＡｌ２  Ｏ３  の添加量を表１に示すように変化させることにより、試料１〜７を作製した。
【００７８】
得られたコンデンサ試料のサイズは、３．２ｍｍ×１．６ｍｍ×０．６ｍｍであり、内部電極層に挟まれた誘電体層の数は４とし、１層あたりの誘電体層の厚み（層間厚み）は２．７μｍ、内部電極層の厚みは１．２μｍとした。
【００７９】
次いで、得られた各コンデンサ試料について、容量温度特性、容量不良率、高温加速寿命、および比誘電率を、それぞれ下記に示す方法により測定した。
【００８０】
容量温度特性
容量温度特性は、得られたコンデンサ試料に対し、−５５℃〜１５０℃の温度範囲で静電容量を測定することにより評価した。具体的には、静電容量を、デジタルＬＣＲメータ（ＹＨＰ製４２７４Ａ）を用い、周波数１ｋＨｚ、入力信号レベル１Ｖｒｍｓの条件下で測定した。そして、これらの温度範囲で最も容量温度特性が悪くなる１５０℃の温度環境下での静電容量の変化率（ΔＣ／Ｃ、単位は％）を算出した。本実施例においては、−５５〜１５０℃において、ΔＣ／Ｃ＝±１５％以内、すなわち、Ｘ８Ｒ特性を満足する試料を良好とした。結果を表１に示す。
【００８１】
容量不良率
容量不良率は、まず、１００個のコンデンサ試料に対し、基準温度２５℃において、デジタルＬＣＲメータにて、周波数１ｋＨｚ、入力信号レベル１．０Ｖｒｍｓの条件下で静電容量を測定した。そして、１００個の試料の測定結果を平均することにより、平均容量を求めた。次いで、この平均容量を１００％とした場合に、静電容量が８０％未満となった試料の割合を求め、これを容量不良率とした。本実施例においては、容量不良率が２０％以下（すなわち、１００個の試料のうち、静電容量が８０％未満となった試料が２０個以下）となった試料を良好とした。結果を表１に示す。
【００８２】
高温加速寿命
コンデンサの試料を、２００℃で１０Ｖ／μｍの直流電圧の印加状態に保持することにより、高温加速寿命を測定した。この高温加速寿命は、１０個のコンデンサ試料について行い、平均寿命時間を測定することにより評価した。本実施例においては、印加開始から絶縁抵抗が一桁落ちるまでの時間を寿命と定義した。寿命時間は長いほど好ましい。結果を表１に示す。
【００８３】
比誘電率ε
比誘電率εは、コンデンサ試料に対し、基準温度２５℃において、デジタルＬＣＲメータにて、周波数１ｋＨｚ、入力信号レベル１．０Ｖｒｍｓの条件下で測定された静電容量から算出した（単位なし）。本実施例においては、いずれの試料も比誘電率は、１０００以上となり良好な結果であった。
【００８４】
【表１】
2006282482.tif 000002
【００８５】
表１に、試料１〜７のＡｌ２  Ｏ３  の添加量、容量温度特性、容量不良率、および高温加速寿命を示す。
表１より、焼結助剤であるＡｌ２  Ｏ３  の添加量を１〜１０モルとした試料２〜６は、いずれも容量温度特性がＸ８Ｒ特性を満足し、また、容量不良率が５％以下となり良好な結果となった。また、これらの試料２〜６は、１２００℃という比較的高い温度でアニール処理を行ったため、２００℃、１０Ｖ／μｍという比較的厳しい条件においても、高温加速寿命が、いずれも１０時間以上（アニール温度を１０００℃とした場合の約２倍の寿命時間）となり、良好な結果であった。なかでも、Ａｌ２  Ｏ３  の添加量をそれぞれ３モル、５モルとした試料４，５は、容量不良率が０％となり、また、高温加速寿命も長く、特に良好な結果となった。
【００８６】
一方、焼結助剤であるＡｌ２  Ｏ３  の添加量を０．９モルとした試料１は、焼結性が悪化し、良好に焼結させることができなかった。そのため、各評価を行えるような試料を得ることはできなかった。また、Ａｌ２  Ｏ３  の添加量を１０．１モルと多くした試料は、容量不良率が３２％と悪化してしまい、製造安定性に欠ける結果となった。
【００８７】
これらの結果より、Ａｌ２  Ｏ３  の添加量をＡｌ元素換算で、１〜１０モル、好ましくは２〜５モルとすることにより、比誘電率を高く保ちつつ、容量温度特性がＸ８Ｒ特性を満足させることができ、しかも容量不良率を低く抑えつつ、高温加速寿命を改善できることが確認できた。
【００８８】
実施例２
第２副成分として、Ａｌ２  Ｏ３  の代わりに、Ｌｉ２  Ｏを使用した以外は、実施例１と同様にして、コンデンサの試料１１〜１７を得た。得られたコンデンサ試料について、実施例１と同様にして、各種特性を評価した。結果を表２に示す。なお、実施例の試料１２〜１６は、いずれも比誘電率が１０００以上となり、良好な結果であった。
【００８９】
【表２】
2006282482.tif 000003
【００９０】
表２に示すように、焼結助剤として、Ａｌ２  Ｏ３  のかわりに、Ｌｉ２  Ｏを使用した実施例２においても、実施例１と同様の傾向が得られることが確認できる。すなわち、実施例の試料１２〜１６は、いずれも容量温度特性がＸ８Ｒ特性を満足し、容量不良率および高温加速寿命に優れる結果となった。一方、Ｌｉ２  Ｏの添加量を本発明の範囲外とした試料１１，１７は、それぞれ、試料１１は未焼結となり、試料１７は容量不良率に劣る結果となった。
【００９１】
実施例３
第２副成分として、Ａｌ２  Ｏ３  の代わりに、Ｂ２  Ｏ３  を使用した以外は、実施例１と同様にして、コンデンサの試料２１〜２７を得た。得られたコンデンサ試料について、実施例１と同様にして、各種特性を評価した。結果を表３に示す。なお、実施例の試料２２〜２６は、いずれも比誘電率が１０００以上となり、良好な結果であった。
【００９２】
【表３】
2006282482.tif 000004
【００９３】
表３に示すように、焼結助剤として、Ａｌ２  Ｏ３  の代わりに、Ｂ２  Ｏ３  を使用した実施例３においても、実施例１と同様の傾向が得られることが確認できる。すなわち、実施例の試料２２〜２６は、いずれも容量温度特性がＸ８Ｒ特性を満足し、容量不良率および高温加速寿命に優れる結果となった。一方、Ｂ２  Ｏ３  の添加量を本発明の範囲外とした試料２１，２７は、それぞれ、試料２１は未焼結となり、試料２７は容量不良率に劣る結果となった。
【００９４】
実施例４
Ａｌ２  Ｏ３  の代わりに、（Ｂａ０．６  Ｃａ０．４  ）ＳｉＯ３  を使用した以外は、実施例１と同様にして、コンデンサの試料３１〜３７を得た。得られたコンデンサ試料について、実施例１と同様にして、各種特性を評価した。結果を表４に示す。
【００９５】
【表４】
2006282482.tif 000005
【００９６】
表４に、試料３１〜３７の（Ｂａ０．６  Ｃａ０．４  ）ＳｉＯ３  の添加量、容量温度特性、容量不良率、および高温加速寿命を示す。なお、表４中、ＢＣＧとは、（Ｂａ０．６  Ｃａ０．４  ）ＳｉＯ３  を意味し、また、（Ｂａ０．６  Ｃａ０．４  ）ＳｉＯ３  の添加量はＢａＴｉＯ３  １００モルに対する、複合酸化物換算のモル数で示した。
【００９７】
表４に示すように、焼結助剤として、Ａｌ２  Ｏ３  の代わりに、シリコン含有複合酸化物である（Ｂａ０．６  Ｃａ０．４  ）ＳｉＯ３  を使用した試料３１〜３７においては、いずれも容量不良率が悪化してしまう結果となった。なお、容量不良率が悪化した理由としては必ずしも明らかではないが、アニール処理の温度を１２００℃と比較的に高くしたことが影響していると考えられる。
【００９８】
実施例５
（Ｂａ０．６  Ｃａ０．４  ）ＳｉＯ３  の代わりに、ＳｉＯ２  、ＢａＯおよびＣａＯを使用した以外は、実施例４と同様にして、コンデンサの試料４１〜４７を得た。得られたコンデンサ試料について、実施例１と同様にして、各種特性を評価した。結果を表５に示す。なお、実施例５においては、ＳｉＯ２  、ＢａＯおよびＣａＯのそれぞれの添加量を、実施例４の各試料と同じ量になるように調整した。
【００９９】
【表５】
2006282482.tif 000006
【０１００】
表５に、試料４１〜４７のＳｉＯ２  の添加量、容量温度特性、容量不良率、および高温加速寿命を示す。なお、ＳｉＯ２  の添加量は、ＢａＴｉＯ３  １００モルに対する、ＳｉＯ２  換算のモル数で示した。
【０１０１】
表５に示すように、焼結助剤として、シリコン含有複合酸化物である（Ｂａ０．６  Ｃａ０．４  ）ＳｉＯ３  に代えて、ＳｉＯ２  を使用した場合においても、いずれも容量不良率が悪化してしまう結果となった。なお、容量不良率が悪化した理由は、実施例４と同様の理由によると考えられる。
【０１０２】
実施例６
実施例１の試料４，１４，２４において、さらに、（Ｂａ０．６  Ｃａ０．４  ）ＳｉＯ３  を、ＢａＴｉＯ３  １００モルに対して、１モル加えた以外は、実施例１の試料４，１４，２４と同様にして表６に示す試料５１，５２，５３を得た。得られたコンデンサ試料について、実施例１と同様にして、各種特性を評価した。結果を表６に示す。
【０１０３】
【表６】
2006282482.tif 000007
【０１０４】
表６に示すように、焼結助剤として、Ａｌ２  Ｏ３  、Ｌｉ２  Ｏ、またはＢ２  Ｏ３  に加えて、シリコン含有複合酸化物である（Ｂａ０．６  Ｃａ０．４  ）ＳｉＯ３  を使用した試料５１，５２，５３は、いずれも容量不良率が悪化してしまう結果となった。なお、容量不良率が悪化した理由は、実施例４と同様の理由によると考えられる。
【図面の簡単な説明】
【０１０５】
【図１】図１は本発明の一実施形態に係る積層セラミックコンデンサの断面図である。
【符号の説明】
【０１０６】
１…  積層セラミックコンデンサ
１０…  コンデンサ素子本体
２…  誘電体層
３…  内部電極層
４…  外部電極
【図１】
2006282482.tif 000008